(57)【要約】【課題】  複数の赤外線受信式プリンタを外乱から纏めて保護し、多数客に有料で写真提供を可能にすると共に、電源電池を不要化し、印画紙パックの交換を簡易化すること。【解決手段】  画像信号でデータ化した赤外線の受信データを画像としてプリントアウトできる複数の赤外線受信式プリンタ１と、各プリンタを分離配置する棚板２と、投入コインチェック部材４と、投入コイン収納箱５と、印画紙ぎれプリンタを不動にした後、印画紙が存在する他のプリンタを順次に一台ずつ商用電源で動作可能にするプリンタ制御回路基板６とをそれぞれ同一ケース３内に備える一方、その正面板７には、赤外線受信ポート８と、コイン投入指示光源９と、コイン投入口１０と、画像送信指示光源１１と、プリント実行中表示光源１２と、各プリンタの印画紙排出口１３と、各プリンタに対応した印画紙ぎれ表示光源１４とをそれぞれ備えた。【選択図】図１
0003126662.tif 000002
【実用新案登録請求の範囲】
【請求項１】
画像信号でデータ化した赤外線の受信データを画像としてプリントアウトできる複数の赤外線受信式プリンタと、これら各プリンタを分離配置する棚板と、投入コインチェック部材と、投入コイン収納箱と、一連のシーケンスプログラムに基づき、印画紙ぎれプリンタを不動にした後、印画紙が存在する他のプリンタを順次に一台ずつ商用電源で動作可能にするプリンタ制御回路基板とをそれぞれ同一ケース内に備える一方、その正面板には、赤外線受信ポートと、コイン投入指示光源と、コイン投入口と、画像送信指示光源と、プリント実行中表示光源と、各プリンタの印画紙排出口と、各プリンタに対応した印画紙ぎれ表示光源とをそれぞれ備えた赤外線受信式有料プリント装置。
【請求項２】
画像信号でデータ化した赤外線の受信データを画像としてプリントアウトできる複数の赤外線受信式プリンタと、これら各プリンタを分離配置する棚板と、投入コインチェック部材と、投入コイン収納箱と、一連のシーケンスプログラムに基づき、印画紙ぎれプリンタを不動にした後、印画紙が存在する他のプリンタを順次に一台ずつ商用電源で動作可能にするプリンタ制御回路基板とをそれぞれ同一ケース内に備える一方、その正面板には、赤外線受信ポートと、コイン投入指示光源と、コイン投入口と、コイン返却レバーと、コイン返却口と、画像送信指示光源と、プリント実行中表示光源と、各プリンタの印画紙排出口と、各プリンタに対応した印画紙ぎれ表示光源とをそれぞれ備えた赤外線受信式有料プリント装置。
【請求項３】
前記ケースの正面板に管理者コール指示光源を備えた請求項１または請求項２に記載の赤外線受信式有料プリント装置。
【請求項４】
前記赤外線受信ポートに複数のプリンタ共用の赤外線受信ポートを用いた請求項１から請求項３までのいずれか一つの請求項に記載の赤外線受信式有料プリント装置。
【請求項５】
前記プリンタ制御回路の電源入力に商用電源アダプタを接続してなる請求項１から請求項４までのいずれか一つの請求項に記載の赤外線受信式有料プリント装置。
【考案の詳細な説明】
【技術分野】
【０００１】
本考案は、複数の赤外線受信式プリンタを外乱から纏めて保護し、多数客に有料で写真提供を可能にすると共に、電源電池を不要化し、印画紙パックの交換補充を簡易化した赤外線受信式有料プリント装置に関する。
【背景技術】
【０００２】
従来の赤外線受信式プリンタとしては、例えば下記の非特許文献１に記載のように、携帯電話機内装カメラなどからの画像信号でデータ化した赤外線の受信データを画像としてプリントアウトできる赤外線受信式プリンタが周知である。
【非特許文献１】東京都港区西麻布２丁目２６番３０号所在の富士写真フィルム株会社が、平成１６年１１月１４日に日本国内で多数発売し、同１６年１２月上旬に本出願人が国内で購入した「ｐｉｖｉ」（登録商標）と称する赤外線受信式プリンタに付属の取扱い説明書。
【考案の開示】
【考案が解決しようとする課題】
【０００３】
前記非特許文献１による赤外線受信式プリンタは、１０枚の印画紙を内装した印画紙パックを使用した電池電源式の偏平プリンタであり、家庭内などで個人的に使用することを前提として企画し製品化しているので、個人使用には問題無いが、この従来プリンタには、結婚式場とか、コンビニなどの不特定多数の人々が集まる場所で多数客に有料で写真提供サービスを実行しようとする製品企画意図は最初から無い。
【０００４】
したがって、上記従来の赤外線受信式プリンタは、掌サイズの小さいプリンタだから、不特定多数の人々が集まる場所に単品の状態で、そのまま設置した場合、手垢が付いたり、プリンタが損傷して使い物にならなくなる場合も有り、時にはプリンタが盗難などで紛失する場合も有るので、プリンタ単品のままでは、多数客に写真提供サービスを有料で実行できないという根源的で切実な問題点が有る。
【０００５】
また、上記従来プリンタを単品のまま、上記有料の写真提供サービスを無理に実行しようとした場合、多数客に対する写真提供料金の課金手段が重大な問題点となるし、急を要する電池交換作業とか、プリンタケース蓋を開けて印画紙ぎれ印画紙パックを交換補充する作業は、一台ずつ異なるプリンタ設置場所に交換補充作業者が急いで出向き、一台ずつ実行しなければならず、面倒かつ、厄介であるという根源的で切実な問題点が生じる。
【０００６】
本考案は、複数の赤外線受信式プリンタを外乱から纏めて保護し、多数客に有料で写真提供を可能にすると共に、電源電池を不要化し、印画紙パックの交換補充を簡易化することを目的とする。
【課題を解決するための手段】
【０００７】
上記した本考案の目的は、画像信号でデータ化した赤外線の受信データを画像としてプリントアウトできる複数の赤外線受信式プリンタと、これら各プリンタを分離配置する棚板と、投入コインチェック部材と、投入コイン収納箱と、一連のシーケンスプログラムに基づき、印画紙ぎれプリンタを不動にした後、印画紙が存在する他のプリンタを順次に一台ずつ商用電源で動作可能にするプリンタ制御回路基板とをそれぞれ同一ケース内に備える一方、その正面板には、赤外線受信ポートと、コイン投入指示光源と、コイン投入口と、画像送信指示光源と、プリント実行中表示光源と、各プリンタの印画紙排出口と、各プリンタに対応した印画紙ぎれ表示光源とをそれぞれ備えたことで達成できた。
【考案の効果】
【０００８】
この考案によれば、掌サイズの小さい赤外線受信式プリンタよりも大幅に大きいケース内に、複数のプリンタを整然と収納して結婚式場やコンビニなど、不特定多数の人々が集まる場所に設置できるので、ケース内における上記各プリンタを汚れや損傷とか、盗難といった外乱から複数台纏めて保護できると共に、上記ケース内には、投入コインチェック部材と、投入コイン収納箱を備え、ケース正面板には、コイン投入指示光源と、コイン投入口とをそれぞれ備えたので、多数客に対する写真提供料金の課金や集金を容易に実現できたという優れた効果が有る。
【０００９】
また、本考案では、一連のシーケンスプログラムに基づき動作する前記プリンタ制御回路により複数の赤外線受信式プリンタのうち、印画紙ぎれプリンタを自動的に不動作にした後、印画紙が存在する他のプリンタを順次に一台ずつ商用電源で動作可能になしたので、家庭内などで個人的に使用する場合も含め、不特定多数の人々が集まる場所で多数客に携帯電話機などによる写真提供サービスを有料で実行する場合にも、電源電池を不要化できたので、その交換補充作業や、電池購入代金も当然に不要となったし、印画紙ぎれの複数プリンタの出現をケース内プリンタの数に応じて先伸ばしできると共に、同一場所で複数プリンタ内の印画紙パックを交換補充できるから、広い設置場所における急な複数の印画紙補充要求に対しても容易に対処でき、省力的でもあるという優れた効果も有る。
【００１０】
本考案における請求項２の考案のように、前記ケースの正面板にコイン返却レバーと、コイン返却口とを追加して備えれば、コインのチェック通路にコインが詰まった事故が生じた場合に、正面板に設けた上記コイン返却レバーを操作することで、コインチェック通路を僅かに広げて詰まったコインをコイン返却口から取り出せる。
【００１１】
本考案における請求項３の考案のように、前記ケースの正面板に管理者コール指示光源を備えれば、複数のプリンタの全部が印画紙切れになった場合とか、プリンタエラーの発生時や実装部材の不具合発生時などに管理者の呼び出しを喚起でき、上記印画紙切れやエラーなどに対し早急に対処できるという効果を付加できた。
【００１２】
本考案における請求項４の考案のように、前記赤外線受信ポートに複数のプリンタに共用の赤外線受信ポートを用いれば、赤外線受信に関連した光学系路を簡略化できるし、共用ポートは正面板に大面積で実装できるから、赤外線送信ポートによる画像データ化赤外線の送信方向を、より一層定め易くなるという効果を付加できた。
【００１３】
また本考案における請求項５の考案のように、前記プリンタ制御回路の電源入力に商用電源アダプタを接続すれば、このアダプタだけの電源アイソレーション（一次・二次間絶縁抵抗）を電気用品の安全に関する法規に基づき品質管理することで、ケースやその外装部材による感電事故を皆無にできるという効果を付加できた。
【考案を実施するための最良の形態】
【００１４】
本考案の最良形態例を図と共に説明すると、デジタル画像信号で赤外線をパルスコード変調した画像信号データ化赤外線を送信できる画像取扱い機材、例えば携帯電話機内装カメラや一般デジタルカメラとか、パソコン内装カメラなどからのデジタル画像信号によるデータ化赤外線を受信し、この受信データを画像としてプリントアウトできる図１・図２に示す前記従来例のような例えば三台の赤外線受信式プリンタ１を用意する。
【００１５】
そして、上記各プリンタ１を強靱材で作った図１・図３・図４のような角箱形ケース３内の上・中・下に平設した三枚の棚板２にそれぞれ固定枠２Ａを介し、印画紙パックを交換可能に上記各図のように載置固定すると共に、このケース３内には、図５のように周知のコインチェック部材４と、鍵５Ａ付きのコイン収納箱５とを周知の手段で備える。
【００１６】
次いで、一連のシーケンスプログラムに基づき商用電源で動作する図５のようなプリンタ制御用ＣＰＵ内装ＬＳＩ回路基板６Ａと、商用電源回路を含む周辺付属回路基板６Ｂとを搭載したプリンタ制御回路基板６を上記ケース３内に周知の固定手段で、同図５のように不動に配置することで、前記三台のプリンタのうち、使用に伴なって印画紙ぎれとなったプリンタを不動作にした後、印画紙が存在する他のプリンタが順次に一台ずつスタンバイ状態になるように各部を構成する。
【００１７】
また、前記ケース３の正面板７には、図６のように各プリンタ共用の暗赤色プラスチックなどで作った赤外線受信ポート８を設け、このポート８で受信した赤外線を電気変換して得たデータ信号を前記三台のプリンタ１の各受信データ信号入力部（図示せず）にバッファアンプを経て三分配供給したり、三台のプリンタの各赤外線受信ポート（図示せず）に光学的に各別連設した計三つの光路部材の入光端を正面板７に集合させて設ける。
【００１８】
また上記正面板７には、図１・図６のようにコイン投入指示光源９と、コイン投入口１０と、前記画像データ化赤外線の送信開始を指示するための画像送信指示光源１１と、到来赤外線の受信データによるプリント実行中表示光源１２と、各プリンタ１のプリント済印画紙排出口１３と、各プリンタに対応した印画紙ぎれ表示光源１４と、コイン返却レバー１５と、コイン返却口１６とをそれぞれ上記図６のように備えることで、本考案による赤外線受信式有料プリント装置を構成できる。
【００１９】
ただし、前記ケース３には、図６のように逆Ｌ字状の上蓋兼用側面蓋３Ａを設け、その鍵３Ｂを開けて上記の蓋３Ａを図１のようにケース３から除去可能に構成すると共に、前記三台のプリンタの全部が印画紙切れになった場合や、プリンタエラーの発生時とか、実装部材の不具合発生時などに管理者の呼び出しを喚起できる管理者コール指示光源１７や、チャイムを必要に応じて正面板７や管理者の存在場所に設けてもよい。
【００２０】
本考案による赤外線受信式有料プリント装置は、以上のような構成となしたので、これを使用するには、先ずプリンタ制御回路基板６の電源入力に商用電源を接続すると、本考案による赤外線受信式有料プリント装置が全体的にスタンバイ状態となり、前記正面板７のコイン投入指示光源９が点滅し、使用者に対してコインの投入を促がす。
【００２１】
使用者がコイン投入口１０からコインを投入すると、このコインをコインチェック部材４で一般的な自動販売機と同様にチェックでき、コイン自体や、その投入額がそれぞれ適正の場合には、上記投入口１０内のシャッタが閉じて無用なコイン投入を防止できる一方、前記プリンタ制御回路基板６を介して第一順位のプリンタ１だけが商用電源によりスタンバイ状態になった後、上記投入コインはコイン収納箱５に入り、図６におけるコイン投入指示光源９が消灯した後、画像送信指示光源１１の点滅などにより、使用者に画像データ化赤外線の送信開始を指示できる。
【００２２】
ただし、コイン投入口１０に投入したコイン自体が不適正の場合や、コイン投入額が不足の場合には、コインチェック部材４によるプリンタ制御回路の電源オフにより、各プリンタ１は不動作状態を維持する一方、コインのチェック通路にコインが詰まった事故が生じた場合には、正面板７に設けた周知のコイン返却レバー１５を操作することで、上記チェック通路を僅かに広げて詰まったコインをコイン返却口１６から取り出せる。
【００２３】
コイン自体やその投入額が適正の場合の前記画像送信指示光源１１の点滅に従い、携帯電話機内装カメラなどからのデジタル画像信号でデータ化した赤外線を使用者が、各カメラに設けた周知の赤外線送信ポート（図示せず）から前記ケース正面板７に設けた赤外線受信ポート８に向け、約１０秒程度送信し続けると、この送信データの受信取り込み完了表示が図６における前記画像送信指示光源１１の早い点滅などにより実行できる。
【００２４】
その後、前記第一順位のプリンタ１がプリントを開始し、図６のプリント実行中表示光源１２が点滅し、約２０秒程度のプリント所要時間が経過すると、プリント済印画紙を図６におけるケース正面板７の印画紙排出口１３からプリントアウトでき、約３０秒程度の現像所要時間が経過すると、上記カメラからの鮮明なポジ画像の写真が得られる。
【００２５】
次いで、前記第一順位のプリンタ１内の印画紙が無くなり、所謂印画紙切れになると、このプリンタ１からの印画紙切れ出力などによる前記一連のシーケンスプログラムに基づくプリンタ制御回路基板６内のスイッチ回路（図示せず）により、上記第一順位のプリンタ１の電源をオフにして、このプリンタを不動作状態にし、かつ、この第一順位のプリンタの印画紙切れ表示光源１４を点灯させると共に、上記スイッチ回路により第二順位のプリンタ１の電源をオンにして、この第二順位のプリンタ１だけがスタンバイ状態となり、コイン投入指示光源９を点滅させる。
【００２６】
そして今度は、前述したような操作手順で上記第二順位のプリンタ１により、画像信号でデータ化した赤外線の受信データによるプリント済印画紙を印画紙排出口１３から次々にプリントアウトでき、この第二順位のプリンタ１も印画紙切れになると、前記と同様にこのプリンタ１を不動にし、かつ、この第二順位のプリンタの印画紙切れ表示光源１４を点灯させると共に、次の第三順位のプリンタ１に電源を供給するなどして、この第三順位のプリンタ１がスタンバイ状態となり、コイン投入指示光源９が点滅する。
【００２７】
その後、次々にプリントアウトが進み、上記第三順位のプリンタ１も印画紙切れになると、この第三順位のプリンタ１の印画紙切れ表示光源１４を点灯させると共に、コイン投入指示光源９を消灯させて三台のプリンタ全部が印画紙切れになったことを告知でき、巡回管理者や客の要請を受けた管理者が、図６に示す上蓋兼用側面蓋３Ａの鍵３Ｂを開け、蓋３Ａを図１のように除去した後、プリンタ２のケース蓋を前記従来例と同様に開けて印画紙パックを交換補充後、上記各蓋を図６のように閉じ、蓋３Ａを施錠する。
【００２８】
ただし、ケース正面板７に管理者コール指示光源１７を備えた場合とか、管理者側にチャイムを備えれば、上記のようにプリンタの全部が印画紙切れになったことや、プリンタエラーの発生時とか実装部材の不具合発生時などに管理者の呼び出しを喚起でき、上記印画紙切れプリンタ１に対する上記印画紙パック交換補充とか、プリンタエラーなどに対し早急に対処でき、また前記投入コイン収納箱５は、市中の一般的な自動販売機と同様に、集金管理者などの定期巡回により、コイン収納箱５の後面鍵５Ａ（図５参照）を開け、コインが溜まった引出しを取り出した後、引出し内のコインを集金袋などに移し、空になった引出しをコイン収納箱５を挿入セットした後、施錠すればよい。
【実施例】
【００２９】
本考案における前記赤外線受信ポート８に複数のプリンタ共用の赤外線受信ポートを用いれば、赤外線受信に関連した光学系路を簡略化できるし、共用の赤外線受信ポートは、正面板に大面積で実装できるから、赤外線送信ポートから画像データ化赤外線の送信方向を、より一層定め易くなった。
【００３０】
前記プリンタ制御回路基板６の電源入力に商用電源アダプタを接続すれば、このアダプタだけの電源アイソレーション（一次・二次間絶縁抵抗）を電気用品の安全に関する法規に基づき品質管理することで、ケースやその外装部材による感電事故を皆無にできた。
【００３１】
さらに、前記印画紙ぎれプリンタ１を不動にするには、前記した印画紙ぎれプリンタの電源をオフにする代わりに、プリンタ１に設けた動作制御端子にプリンタ制御回路基板６から不動作維持信号を印加してもよく、また、印画紙が存在する他のプリンタを順次に一台ずつ動作可能にするには、上記プリンタ電源を順次に一台ずつオンにする代わりに、その動作制御端子にプリンタ制御回路基板６から動作可能信号を順次に印加してもよい。
【産業上の利用可能性】
【００３２】
本考案による赤外線受信式有料プリント装置は、前述したような結婚式場やコンビニ以外に、娯楽施設やホテルのロビーとか、キャバクラなどの不特定多数の人々が集まるすべての場所に幅広く利用でき、その便益は大である。
【図面の簡単な説明】
【００３３】
【図１】本考案によるプリント装置の開蓋斜視図
【図２】本考案に用いるプリンタの実装途中状態の斜視図
【図３】本考案に用いるプリンタの実装状態を示す斜視図
【図４】図１に示すものの拡大側面図
【図５】図１に示すものの要部切欠背面図
【図６】本考案によるプリント装置の閉蓋斜視図
【符号の説明】
【００３４】
１  赤外線受信式プリンタ
２  棚板
３  ケース
３Ａ  上蓋兼用側面蓋
４  投入コインチェック部材
５  投入コイン収納箱
６  プリンタ制御回路基板
７  正面板
８  赤外線受信ポート
９  コイン投入指示光源
１０  コイン投入口
１１  画像送信指示光源
１２  プリント実行中表示光源
１３  印画紙排出口
１４  印画紙ぎれ表示光源
１５  コイン返却レバー
１６  コイン返却口
１７  管理者コール指示光源
【図１】
0003126662.tif 000003
【図２】
0003126662.tif 000004
【図３】
0003126662.tif 000005
【図４】
0003126662.tif 000006
【図５】
0003126662.tif 000007
【図６】
0003126662.tif 000008